(57)【要約】【課題】ランプがソケットに着脱自在に装着される照明器具において、周囲が暗くてもソケットの位置を視認し易くし、ランプ交換作業を容易なものとする。【解決手段】照明器具１は、放電灯２が装着されるソケット３のソケット本体３１の表面に蓄光性部材５を有する。ソケット本体３１に設けた蓄光性部材５は放電灯２による光でもって蓄光し、周囲が暗くなった状態では発光するので、ソケット３の位置が視認し易くなり、放電灯２の交換作業が容易となる。【選択図】図１
2010170883.tif 000002
【特許請求の範囲】
【請求項１】
ランプがソケットに着脱自在に装着される照明器具において、
前記ソケットの表面の少なくとも一部に蓄光性部材が設けられていることを特徴とする照明器具。
【請求項２】
前記ソケットは、蓄光性部材を混入させた樹脂材料で成形されていることを特徴とする請求項１に記載の照明器具。
【発明の詳細な説明】
【技術分野】
【０００１】
本発明は、ランプがソケットに着脱自在に装着される照明器具に関する。
【背景技術】
【０００２】
従来から、ランプのかさ等に蓄光性部材を塗布することで、ランプが切れた後でも明るさを保つことができる照明器具が知られている（例えば、特許文献１参照）。
【０００３】
しかしながら、蓄光性部材は一般に、周囲を照らすほどの発光量を有していないので、上記照明器具において、周囲が暗い状況でランプが切れた場合には、光で浮かび上がった蓄光性部材の位置はわかっても、ランプを脱着するソケットの位置を視認することは難しかった。そのため、ランプを交換し難かった。
【先行技術文献】
【特許文献】
【０００４】
【特許文献１】特開平１１−１１１０２７号公報
【発明の概要】
【発明が解決しようとする課題】
【０００５】
本発明は、上記の従来の問題を解決するためになされたものであり、ランプがソケットに着脱自在に装着される照明器具において、周囲が暗くてもソケットの位置が視認し易く、ランプ交換作業が容易な照明器具を提供することを目的とする。
【課題を解決するための手段】
【０００６】
上記目的を達成するために請求項１の発明は、ランプがソケットに着脱自在に装着される照明器具において、前記ソケットの表面の少なくとも一部に蓄光性部材が設けられているものである。
【０００７】
請求項２の発明は、請求項１に記載の照明器具において、前記ソケットは、蓄光性部材を混入させた樹脂材料で成形されているものである。
【発明の効果】
【０００８】
請求項１の発明によれば、ソケットに設けた蓄光性部材はランプによる光でもって蓄光し、周囲が暗くなった状態では発光するので、周囲が暗くてもソケットの位置が視認し易くなり、ランプ交換作業が容易となる。
【０００９】
請求項２の発明によれば、例えば蓄光性部材をソケットに塗布して設ける場合と比べ、蓄光性部材が剥がれ落ちることはなく、従って、残光輝度の低下を防ぐことができ、耐久性の向上を図ることができる。
【図面の簡単な説明】
【００１０】
【図１】（ａ）は本発明の第１の実施形態に係る照明器具の斜視図、（ｂ）は上記照明器具のソケットの斜視図。
【図２】上記実施形態の一変形例に係るソケットの斜視図。
【図３】上記とは別の変形例に係るソケットの斜視図。
【図４】本発明の第２の実施形態に係る照明器具の斜視図。
【図５】上記実施形態の一変形例に係る照明器具のソケットの斜視図。
【図６】（ａ）は上記とは別の変形例に係るソケットの底面図、（ｂ）はその斜視図。
【図７】上記とはさらに別の変形例に係るソケットの底面図。
【発明を実施するための形態】
【００１１】
以下、本発明の各種実施形態に係る照明器具について図面を参照して説明する。
（第１の実施形態）
図１（ａ）（ｂ）は、本発明の第１の実施形態に係る照明器具の構成を示す。本実施形態の照明器具１は、直管状で両口金形の放電灯２（ランプ）が着脱自在に装着され、その両端を支持する１対のソケット３と、ソケット３を保持し、ソケット３を介して放電灯２へ給電する器具本体４とを備える。放電灯２は蛍光灯を含む。
【００１２】
ソケット３は、絶縁性樹脂材料等で形成されたソケット本体３１と、ソケット本体３１に収容され放電灯２に給電する導電材（不図示）とで構成される。ソケット本体３１は、放電灯２の両端に１対ずつ設けられた口金ピンの装着をガイドする溝３２と、放電灯２の口金ピンを溝３２に通した状態で放電灯２を軸周りに回転させるときに従動して回転し、所定角だけ回転すると停止して放電灯２を保持状態とする装着部３３とを有する。ソケット３における放電灯２の保持構造は上記に限定されない。
【００１３】
ソケット本体３１の表面の略全体には、蓄光性部材５が設けられている。蓄光性部材５をソケット本体３１に設ける方法としては、蓄光性部材５を絶縁性樹脂材料等（以下、樹脂材料等という）に混入させてソケット本体３１を成形する方法が望ましい。他の方法として、蓄光性部材５を基材とする蓄光テープをソケット本体３１に貼り付けても、又はソケット本体３１に蓄光性部材５１を塗布してもよい。
【００１４】
上記のように構成された照明器具１においては、ソケット本体３１に設けた蓄光性部材５が放電灯２による光でもって蓄光し、周囲が暗くなった状態では発光するので、周囲が暗くてもソケット３の位置が視認し易くなり、放電灯２の交換作業が容易となる。
【００１５】
また、蓄光性部材５を混入させた樹脂材料等でソケット本体３１を成形した場合には、蓄光性部材５をソケット本体３１に塗布する場合と比べ、マスキング作業、又は塗りむら防止対策等が不要となり、製造コストの低減を図ることができる。また、塗布の場合、又は蓄光テープをソケット本体３１に貼り付ける場合と比べ、蓄光性部材５が剥がれ落ちることはなく、従って、残光輝度の低下を防ぐことができ、耐久性の向上を図ることができる。
【００１６】
また、蓄光テープをソケット本体３１に貼り付けた場合には、蓄光性部材５を塗布する場合と比べ、蓄光性部材５が剥げ難くなり、従って、残光輝度の低下を防ぐことができる。
【００１７】
次に、本実施形態の各種変形例に係る照明器具について図２及び図３を参照して説明する。図２に示す変形例においては、ソケット本体３１の装着部３３の表面にだけ蓄光性部材５が設けられている。本変形例においては、上記実施形態と比べ、蓄光性部材５がソケット３の表面全体にではなく一部にだけ設けられるので、製造コストを抑えることができる。しかも、周囲が暗くなった状態では、ソケット３のうちの装着部３３だけが発光するので、上記実施形態と比べ、放電灯２を装着すべき部分だけが浮かび上がり、当該部分がより視認し易くなり、その結果、放電灯２の交換作業がより容易となる。
【００１８】
図３に示す変形例においては、ソケット本体３１の放電灯２を装着する面の一部の領域にだけ蓄光性部材５が設けられている。蓄光性部材５を設ける方法として、蓄光性部材５で構成された蓄光テープ等の成形体をソケット本体３１の上記領域の表面に貼り付けてもよいし、上記成形体をソケット本体３１の上記領域に一部を露出させて埋め込んでも、又はソケット本体３１の上記領域に蓄光性部材５を塗布してもよい。本変形例においても、上記変形例と同様に、製造コストを抑える効果が得られる。
【００１９】
（第２の実施形態）
図４は、本発明の第２の実施形態に係る照明器具の構成を示す。本実施形態の照明器具１は、上記第１の実施形態の放電灯２の替わりとして、片口金形のランプ６を有しており、ランプ６はソケット３に螺入して装着される。ソケット本体３１は、ランプ６の口金が螺入される開口を下面に有した略円筒状であり、螺入装着されたランプ６の口金に給電する導電材を収容している。ソケット本体３１の表面の略全体には、上記第１の実施形態と同様に、蓄光性部材５が設けられている。ソケット本体３１の形状は上記に限定されない。ランプ６は白熱灯又はＨＩＤランプを含む。本実施形態においても第１の実施形態による効果と同等の効果を得ることができる。
【００２０】
次に、本実施形態の各種変形例に係る照明器具について図５及び図６を参照して説明する。図５に示す変形例においては、蓄光性部材５がソケット本体３１の外周に帯状に設けられている。図６（ａ）（ｂ）に示す変形例においては、ランプ６の口金が螺入装着されるソケット本体３１の口金部３４の開口周縁３４ａにだけ、蓄光性部材５が設けられている。蓄光性部材５を設ける方法として、蓄光性部材５で成形された成形体を開口周縁３４ａに貼り付けても、又は開口周縁３４ａに蓄光性部材５を塗布してもよい。本変形例においては、ソケット３が天井に配置され、ソケット３の口金部３４の開口が下方を向いている場合、ランプ６交換時に下方からソケット３の位置を視認し易くなる。しかも、ソケット本体３１の表面全体ではなく開口周縁３４ａにだけ蓄光性部材５が設けられているので、製造コストの低減を図ることができる。
【００２１】
図７に示す変形例においては、蓄光性部材５が口金部３４内の導電材３５を除いた箇所に設けられている。蓄光性部材５は口金部３４内に例えば塗布されている。蓄光性部材５は、ソケット３にランプ６が装着されていても、それらの隙間から口金部３４に入り込む光でもって蓄光する。
【００２２】
なお、本発明は、上記の各種実施形態及び変形例の構成に限定されるものでなく、使用目的に応じ、様々な変形が可能である。例えば、ソケット本体３１の材料は樹脂材料に限定されない。ソケット本体３１は金属で成形されて、その上に絶縁材料が塗布され、さらに蓄光性部材５が貼り付け又は塗布されていても、若しくは蓄光性部材５を混入させた絶縁材料が塗布されていてもよい。
【符号の説明】
【００２３】
１  照明器具
２  放電灯（ランプ）
３  ソケット
５  蓄光性部材
６  ランプ
【図１】
2010170883.tif 000003
【図２】
2010170883.tif 000004
【図３】
2010170883.tif 000005
【図４】
2010170883.tif 000006
【図５】
2010170883.tif 000007
【図６】
2010170883.tif 000008
【図７】
2010170883.tif 000009